(57)【要約】【課題】カード所持者の意思による正当な読み取りを容易にしつつも、スキミング防止を図ることができるようにする、カードのスキミング防止構造の提供。【解決手段】情報記憶媒体２３、２５が搭載されたカード１１、および／または該カード１１に重なり合う重合部分５１，６１，６２，７２，７３を有したカード付属部材１２，１３に、上記情報記憶媒体２３，２５に記憶された情報を読み取り不可に遮蔽する遮蔽部３２，３６，３４を、上記情報記憶媒体に記憶された情報を読み取るときにその読み取りを許容する読取許容部３２ａとともに備えたカードのスキミング防止構造。【選択図】図１
2007199888.tif 000002
【特許請求の範囲】
【請求項１】
情報記憶媒体が搭載されたカード、および／または該カードに重なり合う重合部分を有したカード付属部材に、上記情報記憶媒体に記憶された情報を読み取り不可に遮蔽する遮蔽部を、上記情報記憶媒体に記憶された情報を読み取るときにその読み取りを許容する読取許容部とともに備えた
カードのスキミング防止構造。
【請求項２】
前記読取許容部が、遮蔽部の一部を切り欠いて形成された切欠部である
請求項１に記載のカードのスキミング防止構造。
【請求項３】
前記遮蔽部が、読取許容部に重なって読み取りを不可能にする遮蔽位置と、該遮蔽位置から離れて読み取りを可能にする読取許容位置とに移動可能である
請求項１または請求項２に記載のカードのスキミング防止構造。
【請求項４】
前記遮蔽部が、カードまたはカード付属部材に一体形成された固定遮蔽部と、該固定遮蔽部の一部に切り欠き形成された前記読取許容部を開閉すべく移動する移動遮蔽部とを有した
請求項１に記載のカードのスキミング防止構造。
【請求項５】
前記遮蔽部が、カードの厚み内における情報記憶媒体の一方側に層状に形成された
請求項１、２、３、または４に記載のカードのスキミング防止構造。
【発明の詳細な説明】
【技術分野】
【０００１】
この発明は、たとえば非接触型ＩＣ媒体や磁気ストライプなどの情報記憶媒体が搭載されたカードからのスキミング（不正読み取り）を防止するための、カードのスキミング防止構造に関する。
【背景技術】
【０００２】
一般に、個人を識別して金銭を電子的に取り扱う媒体として、キャッシュカードやクレジットカード、デビットカードなどが利用されている。このようなカードには、個人を識別するＩＤや、チャージされている金額などの情報を記憶する情報記憶媒体として磁気ストライプが備えられ、該磁気ストライプに記憶した情報に基づいて取引が行われる。
【０００３】
近年、このようなカードからの情報を不正に読み取るスキミングによる犯罪が問題となっている。スキミングにより取得された情報は、カードの偽造に利用され、偽造されたカードによって商品の購入や預金の引き出し等が勝手に行われてしまうことになる。
【０００４】
上記磁気ストライプ以外にも情報記憶媒体として、接触型や非接触型のＩＣ媒体が存在する。このＩＣ媒体は、ＩＣチップ内に制御部と記憶部を備えたもので、その記憶部には、磁気ストライプと比較して大量の情報を記憶することができる。このため、情報を暗号化して記憶しておくことも可能となり、磁気ストライプに比べて高度なセキュリティレベルを確保することができる。
【０００５】
このようなＩＣ媒体のうち特に非接触型のＩＣ媒体は、磁気ストライプや接触型ＩＣ媒体のように読取装置にカードを挿入せずとも、財布やカードケース等に入れたままで読取装置と通信できるため、非常に利便性が高く、注目されている。
【０００６】
しかし、非接触で通信できるがために、非接触型ＩＣ媒体を搭載したカードでは、上述したスキミングの如き不正行為の可能な場面が、磁気ストライプを搭載したカードの場合に比べて多い。たとえば電車の中、人込み、飲食店など施設の出入り口などのように、日常の様々な場面でスキミングされる可能性がある。しかも、非接触型ＩＣ媒体の所持者は、スキミングされたこと自体、またいつスキミングされたのかも自分では気づかない。
【０００７】
このようなことから、現在のところ非接触型ＩＣ媒体に対するスキミング事例は報告されていないものの、非接触型ＩＣ媒体を搭載したカードについてもスキミングを防止できるようにすることが望まれている。
【０００８】
これまで、アルミなどの金属が電磁波を遮断する性質を利用した技術が提案されている。たとえば下記特許文献１の収納ケースや、特許文献２のスキミング防止封筒などである。
【０００９】
しかし、これまで提案されているものは、カードをスキミングから守るために、電磁波を遮断する手段を備えたケースでカードを覆うというものである。カードの全体を電磁波遮断手段で覆うので、スキミングは防止できるものの、カードを正当に使用するときはカードをケースから取り出さなければならず不便である。  
また、カード自体に電磁波遮断手段が講じられたものは存在しない。
【００１０】
【特許文献１】特開２００４−１８８２１５号公報
【特許文献２】登録実用新案第３１１６３４５号公報
【発明の開示】
【発明が解決しようとする課題】
【００１１】
この発明は、上述の問題に鑑み、正当な読み取りを可能にしつつもスキミング防止を図ることができるようにすることを目的とする。
【課題を解決するための手段】
【００１２】
この発明は、情報記憶媒体が搭載されたカード、および／または該カードに重なり合う重合部分を有したカード付属部材に、上記情報記憶媒体に記憶された情報を読み取り不可に遮蔽する遮蔽部を、上記情報記憶媒体に記憶された情報を読み取るときにその読み取りを許容する読取許容部とともに備えたことを特徴とする。
【発明の効果】
【００１３】
この発明によれば、読取許容部の存在により情報の正当な読み取りが可能でありながらも、遮蔽部によってカードをスキミングから保護することができる。
【発明を実施するための最良の形態】
【００１４】
スキミングの防止を図る一方で、正当な読み取りを可能にするという目的を、情報記憶媒体が搭載されたカード、および／または該カードに重なり合う重合部分を有したカード付属部材に、上記情報記憶媒体に記憶された情報を読み取り不可に遮蔽する遮蔽部を、上記情報記憶媒体に記憶された情報を読み取るときにその読み取りを許容する読取許容部とともに備えるという構成にて実現した。
【００１５】
上記遮蔽部は、磁界遮断のための材料を、カードの情報記憶媒体部分を覆い隠すように積層等して配置することで得られる。上記読取許容部は、上記遮蔽部が存在しない部分を形成することや形成された遮蔽部を移動可能にすることによって得られる。遮蔽部が存在しない切り欠き等によって読取許容部を備えた場合には、読取許容部を形成する遮蔽部とは別の遮蔽部によって読取許容部を開閉可能に覆い隠すとよい。この場合、上記読取許容部をカードに備え、上記別の遮蔽部をカード付属部材に備えて、カードとカード付属部材の相対移動で読取許容部を開閉可能にすることもできる。
【００１６】
この発明の一実施例を、以下図面を用いて説明する。
【実施例１】
【００１７】
図１は、カード１１を示す斜視図であり、図２はその分解斜視図、図３は断面図である。
【００１８】
これらの図に示したように、カード１１は、ＩＣチップ２１とループアンテナ２２とで構成される非接触型ＩＣ媒体２３が搭載された非接触型ＩＣカードである。非接触型ＩＣ媒体２３は、一般にＲＦ−ＩＤ（Radio Frequency Identification）タグと呼ばれるものであり、電波または電磁波を用いて非接触の通信を行う機能、および情報を記憶する機能を有する。
【００１９】
カード１１は、キャッシュカード、クレジットカード、定期券、プリペイドカード、社員証、学生証などとして利用されるもので、長方形板状をなし、複数の部材を積層して構成され、情報記憶媒体としての上記非接触型ＩＣ媒体２３に記憶された情報を読み取り不可に遮蔽する遮蔽部と、非接触型ＩＣ媒体２３に記憶された情報を読み取るときにその読み取り（通信）を許容する読取許容部とを備える。
【００２０】
上記複数の部材は、上記非接触型ＩＣ媒体２３を有する本体部材３１の上面側に備えられる、第１固定遮蔽部材３２、スペーサ部材３３、移動遮蔽部材３４および第１ラミネート部材３５と、本体部材３１の下面側に備えられる、第２固定遮蔽部材３６および第２ラミネート部材３７である。これらのうち第１固定遮蔽部材３２、第２固定遮蔽部材３６および移動遮蔽部材３４（遮蔽部材）は、いずれも、通信波（電波や電磁波など非接触通信に用いられる波）を遮断、吸収または干渉する（以下、遮断という）性質の材料の被覆、混合、積層、塗布などで形成される。材料には、アルミニウム、銅、銀などの金属からなる反射材、あるいは炭素、珪素などといった吸収材など様々なものが適宜使用できる。またその形態についても、箔や繊維状、粉体状、シート状など適宜のものを使用し得る。
【００２１】
図４は遮蔽部材３２，３６，３４の構成態様の一例を示す断面図である。図４（Ａ）は、箔やシート状に形成された遮断材料４１を基材４２に積層した例、または基材４２の表面に遮断材料４１を塗布した例を示す。図４（Ｂ）は、積層や塗布などで形成された遮断材料４１の表面に遮断材料４１を保護するフィルム等からなる保護層４３が設けられた例を示している。図４（Ｃ）は、合成樹脂等の基材４２に所望の遮断作用が得られる量の遮断材料４１を混合して、遮断材料４１を含有する薄い板状に成形した例である。また、遮蔽部材３２，３６，３４自体に剛性が必要でない場合には、上記本体部材３１に対して遮断材料４１を直接塗布したりコーティングしたりして遮蔽部材３２，３６に相当する部分を形成することもできる。
【００２２】
上記本体部材３１は、カード大のシート状に形成される。
【００２３】
上記第１固定遮蔽部材３２は、外形がカード大のシート状に形成され、その内側の上記非接触型ＩＣ媒体２３のＩＣチップ２１部分とその周囲に対応する部分に、上記読取許容部としての読取許容穴３２ａが形成される。読取許容穴３２ａは、ＩＣチップ２１周辺のループアンテナ２２の内側Ｌ１から外側Ｌ２に到る大きさの方形状である（図５参照）。
【００２４】
上記スペーサ部材３３は、外形がカード大のシート状に形成され、上記移動遮蔽部材３４を囲むように設けられる。移動遮蔽部材３４をスペーサ部材３３の長さ方向に移動可能に保持するため、内側には、移動遮蔽部材３４を収容可能であるとともにその移動を許容する打ち抜き穴３３ａが形成されている。上記移動は、移動遮蔽部３４がＩＣチップ２１部分を被覆して読み取りを不可能にする遮蔽位置［図５（Ａ），図１（Ａ）参照］と、該遮蔽位置から離れて読み取りを可能にする読取許容位置［図５（Ｂ），図１（Ｂ）参照］との間で行われるように打ち抜き穴３３ａの大きさが設定される。
【００２５】
上記移動遮蔽部材３４は、上記読取許容穴３２ａの上面側を塞ぐもので、読取許容穴３３ａよりも大きめで一部に力を作用させての移動を可能とする剛性を有した方形シート状に形成されている。そして、この移動遮蔽部材３４の一部には、平面視方形状で表面側に突出する移動用の操作部３４ａが形成されている。
【００２６】
上記上面側の第１ラミネート部材３５は、適宜の合成樹脂シート等からなり、外形がカード大に形成される。そして、その内側には、上記操作部３４ａをスライドさせるために上記操作部３４ａを露出させるスライド溝３５ａと、該スライド溝３５ａに連続する方形状の窓部３５ｂが設けられている。
【００２７】
一方、本体部材３１の下側に備えられる上記第２固定遮蔽部材３６と第２ラミネート部材３７は、カード大で切り欠きのないシート状に形成される。
【００２８】
また、上記第１ラミネート部材３５と第２ラミネート部材３７には、印刷等が適宜施され、カードとしての外観が形成される。
【００２９】
これら各部材３１，３２，３３，３４，３５，３６，３７は、上述の順序で本体部材３１を挟むように積層一体化される。一体化されると、図３（Ａ）に示したように、本体部材３１の上面側の一部を除いて第１固定遮蔽部材３２が位置し、この第１固定遮蔽部材３２が存在しない読取許容穴３２ａの上面側に移動遮蔽部材３４が位置する状態となる。移動遮蔽部材３４は、第１固定遮蔽部材３２上を移動可能であるので、移動遮蔽部材３４を後退させると、図１（Ｂ）、図５（Ｂ）に示したように、本体部材３１における読取許容穴３２ａに対応する部分を開放できる。一方、本体部材３１の下面側は、その全面が第２固定遮蔽部材３６で覆われている。
【００３０】
以上のような構成を有するので、図１（Ａ）および図５（Ｂ）に示した読み取り不可能状態と、図１（Ｂ）および図５（Ｂ）に示した読み取り許容状態との切り替えは、移動遮蔽部材３４をスライドさせるだけで、簡単に行える。
【００３１】
カード１１の接触型ＩＣ媒体２３を使用しない場合、つまり読み取りを行わせずスキミングからカード１１を保護する場合には、移動遮蔽部材３４を読取許容穴３２ａに被さるように遮蔽位置にスライドさせておく。この状態では、非接触型ＩＣ媒体２３の上下両面は、非接触通信に必要な磁界が遮断（完全遮断、減衰、ループアンテナとの干渉による効率低下）されるため、物理的に非接触通信を行うことができず、スキミングなどの不正なデータ通信を防止することができる。
【００３２】
カード１１の非接触型ＩＣ媒体２３を使用する場合、つまり読み取りを行わせてカードの機能を利用する場合には、移動遮蔽部材３４を読取許容穴３２ａに被さらない読取許容位置にスライドさせる。このスライド操作は、指の腹を当ててずらすだけで簡単に行える。移動遮蔽部材３４を読取許容位置に位置させた状態では、非接触型ＩＣ媒体２３の上面側の読取許容穴３２ａが開放されるので、非接触通信に必要な磁界の通過を許容することができる。このため、読み取り器とのデータ通信を問題なく実行できる。
【００３３】
このように、移動遮蔽部材３４を移動するという簡単な動作で、非接触型ＩＣ媒体２３に対する非接触通信の可否を確実に切替えることができる。この結果、記憶した情報の正当な読み取りを可能にしつつも、スキミングの防止を図ることができる。
【００３４】
しかも、読取許容穴３２ａを開放する動作は、指先で簡単に行える。ケースに収納したカードを取り出す動作に比して極簡単である。このため、スキミングの防止を図りながらも、カード１１が便利に使用できるという効果を達成できる。
【００３５】
また、スキミング防止を図る状態と読み取りを許容する状態との切り替えは、カード所持者の手による物理的操作で行うため、現在の状態がスキミング防止状態か読み取り許容状態からを目で見て容易に認識できる。また、目で見なくとも、操作部３４ａの位置により触っただけで認識できる。このため、簡単で確実性の高いスキミング防止が可能である。
【００３６】
なお、上述例では、読み取り許容状態において、移動遮蔽部材３４が読取許容穴３２ａを完全に塞ぐ構成としたが、スキミング防止状態で読取許容穴３２ａの全体を覆わずにある程度（たとえば全体の２／３）ループアンテナ２２を覆う状態とするもよい。この場合でも、通信波の通過を抑制でき、読み取りを許容する通信波の強さが非接触通信を実現するために必要な強さに至らないようにして、通信波を遮断することができる。また、読み取り許容状態でループアンテナ２２を覆う範囲を、読み取りを許容する臨界点付近の範囲に設定すれば、移動遮蔽部材３４の移動距離を短くすることができ、操作の利便性を高めることができる。
【００３７】
また、上述例では読取許容穴３２ａを、ＩＣチップ２１周辺のループアンテナ２２の内側Ｌ１から外側Ｌ２に到る大きさの方形状に形成した例を示したが、必ずしもＩＣチップ２１部分に形成する必要はなく、ループアンテナ２２をまたがる状態であればよい。
【００３８】
さらに、カード１１の構成について、上述例では本体部材３１の下面側に、その全面を覆う第２固定遮蔽部材３６を積層したが、図３（Ｂ）に示したように、上記第２固定遮蔽部材３６を省略することもできる。この場合には、カード１１を所持するときカード１１の上面側がスキミングの危険性のある外側に向くようにすればよい。また、上記遮蔽部材３２，３６，３４と同様の作用をするシート状をなす別体の遮蔽シート（図示せず）を添えておくもよい。
【００３９】
図３（Ｃ）は、本体部材３１の上下両面側に読取許容穴３２ａが形成された例を示している。このように両面に読取許容穴を有する場合には、その２個の読取許容穴を同時に開閉する移動遮蔽部材３４を備える。すなわち、本体部材３１の上下両面に、読取許容穴３２ａを有した第１固定遮蔽部材３２を積層し、これら第１固定遮蔽部材３２の読取許容穴３２ａを塞ぐ位置に、離間配置させた２枚の遮蔽部分３４ｂ，３４ｂを有する移動遮蔽部材３４が移動可能に設けられる。移動遮蔽部材３４には上面側の第１ラミネート部材３５から露出する操作部３４ａが形成され、本体部材３１、第１固定遮蔽部材３２，３２、上面側の第１ラミネート部材３５に形成されたスライド溝３１ａ，３２ｂ，３５ａとスペーサ部材３３の打ち抜き穴３３ａ内を移動可能に構成されている。  
このような構成によれば、読取許容穴３２ａを開放すると非接触通信に必要な磁界の通過がカード１１の両面から許容されるので、データ通信の実行性が高まる。
【００４０】
また、図１に示した上述例では、第１ラミネート部材３５に窓部３５ｂを設けた例を示したが、この窓部３５ｂを省略するもよい。異物の浸入を抑制して移動遮蔽部材３４のスライド動作を確保できる。
【実施例２】
【００４１】
図６は、実施例２に係るカード１１の斜視図であり、図７はその断面図である。  
なお、この実施例２を含む以下の実施例において、上記実施例１の構成要素と同一または同等の部位については、同一の符号を付してその詳しい説明を省略する。
【００４２】
上記各図に示したように、カード１１は第１実施例の場合と同様に非接触型ＩＣカードであるが、第１実施例の場合とはその読取許容部の構造を異にする。すなわち、読取許容部がカード１１の上面側全体に設けられるとともに、この上面側に、非接触型ＩＣ媒体２３の全体を覆い隠す大きさの遮蔽部が移動可能に設けられている。
【００４３】
図７（Ａ）に示したように、非接触型ＩＣ媒体２３を有する本体部材３１の上面側が読取許容面３８であり、この読取許容面３８には、図６（Ａ）に示したように非接触型ＩＣ媒体２３の全体を覆い隠す大きさで略長方形状をなす移動遮蔽部材３４が備えられる。この移動遮蔽部材３４の周囲には、カード１１の３辺を囲む細幅のスペーサ部材３３が設けられて移動遮蔽部材３４のスライドを可能にするよう構成されている。移動遮蔽部材３４は、その端部がカード１１の長手方向の端部から突出する長さに形成され、この端部には、上面側に向けてＬ字状に屈曲する操作部３４ａが一体に形成されている。
また、スペーサ部材３３の表面には、カード１１大に形成され切り欠きを有しない第１ラミネート部材３５が設けられる。
【００４４】
一方、本体部材３１の下面側には、本体部材３１の全面を覆う第２固定遮蔽部材３６と、同様にカード大の第２ラミネート部材３７が設けられる。上記第２固定遮蔽部材３６は、図７（Ｂ）に示したように省略することもできる。
【００４５】
このように構成されたカード１１では、移動遮蔽部材３４の操作部３４ａがカード１１の端面に当たって本体部材３１の上面側を覆う遮蔽位置と、移動遮蔽部材３４を適宜長さ引き出した読み取り許容位置とに、移動遮蔽部材３４をスライドさせれば、読み取り不可能状態と読み取り許容状態とを切替えることができる。
【００４６】
読み取り不可能状態であるか読み取り許容状態であるかの判断は、移動遮蔽部材３４が突出しているか否かによって外観からも触感からも容易に判断できる。また、移動遮蔽部材３４が突出しないように押し込んでおけば必ず読み取り不可状態になる構成であり、通常の使用形態において読み取りが不要なときに移動遮蔽部材３４を突出させておく必然性がないので、スキミング防止の効果を確実に得ることができる。
【実施例３】
【００４７】
図８は、情報記憶媒体を搭載したカード１１に取り付けて使用されるカード保護具１２の斜視図で、図９はその断面図である。
【００４８】
カード保護具１２は、カード１１に重なり合う重合部分５１を有した板状で、長辺側の２辺に、カード１１に対して着脱可能に取り付けるために断面コ字形をなす係止部１２ａが形成されている。このカード保護具１２は、全体として可撓性を有する薄い合成樹脂等で構成され、情報記憶媒体としての非接触型ＩＣ媒体に記憶された情報を読み取り不可にすべく磁界を遮断する性質を有する。読み取り不可能状態と読み取り許容状態とを切替えるための構成は、上記実施例１に示した構造と同様である。
【００４９】
すなわち、カード保持具１２の重合部分５１は複数の部材が積層されて構成され、重合部分５１の本体しての芯部材５２が、通信波を遮断する性質の材料を用いて形成された遮蔽部である。そしてこの芯部材５２の一部に、読取許容穴５２ａが形成され、読取許容穴５２ａの上面側には、読取許容穴５２ａを塞ぐ大きさの移動遮蔽部材３４が移動可能に設けられる。また移動遮蔽部材３４の周囲には、移動遮蔽部材３４のスライドを可能にするためのスペーサ部材３３が設けられるとともに、スペーサ部材３３の上面側にはラミネート部材５３が積層されている。
【００５０】
図中５３ａは、操作部３４ａをスライド可能にするためのスライド溝、５３ｂは読取許容穴５２ａと略同形の窓部である。
【００５１】
このように構成されたカード保護具１２によれば、スキミング防止のための手段が何ら講じられていない既存のカードに対して取り付ければ、必要な情報の読み取りを可能にしつつも、不正なスキミングを防止してカードの保護を図ることができるようになる。
【００５２】
読み取り不可能状態と読み取り許容状態とに切替える動作は、実施例１の場合と同様であって、操作がきわめて簡単で実効性のあるスキミング防止が行える。しかも、カード１１に対する取り付けは、２辺の係止部１２ａをカード１１の端に係止するだけの簡単な動作で行えて便利である。
【００５３】
また、カード保護具１２の表面に適宜の模様などを施しておけば、自分独自のカードに化粧することができる。着せ替えのように楽しむこともできる。
【００５４】
なお、図９（Ｂ）に示したように、上記係止部１２ａに代えて、固定遮蔽部の下側に、カード１１を差し込む隅間を隔てて下面板部１２ｂが一体形成された鞘状に構成することもできる。下面板部１２ｂは、非接触型ＩＣ媒体２３に記憶された情報を読み取り不可に遮断する性質を有するように上記芯部材５２と一体に形成されるのが好ましい。
【００５５】
このような構成では、カードに対しての取り付けはカード保持具の端部からカードを差し込んで行う。下面板部１２ｂにも磁界を遮断する性質を持たせれば、遮蔽部として作用させることが、下面側からのスキミングも積極的に防止できる。
【実施例４】
【００５６】
図１０は、情報記憶媒体を搭載したカード１１を収納するカードケース１３の斜視図である。
【００５７】
カードケース１３は、非接触型ＩＣ媒体２３に記憶された情報を読み取り不可にすべく磁界を遮断する性質を有するシート材で形成されている。その形状は、遮蔽部材としての２枚のシート部材６１，６２を重合し、その３辺を接合して、カード１１を出し入れする差込口１３ａを有したポケット状の収納部１３ｂが設けられたものである。２枚のシート部材６１，６２、すなわちカードに重なり合う重合部分で形成される収納部１３ｂはカード１１をすっぽりと被覆する大きさであるが、上側のシート部材６１は下側のシート部材６２よりもその差込口１３ａ側の端部が下に位置するように形成される。そして、この上側シート部材６１の差込口１３ａ側の端部における幅方向の中間部には、略半円弧状の切欠部６１ａが形成されている。この切欠部６１ａは、収納したカード１１の一部を露出するものの、非接触型ＩＣ媒体２３に記憶された情報の読み取りを許容しない大きさであるとともに、カード１１を上記下側シート部材６２の差込口１３ａ側の端部に合わせたときに、情報の読み取りを許容する大きさである。
【００５８】
このように構成されたカードケース１３ａでは、情報の読み取りを許容する読取許容部としての切欠部６１ａが存在するものの、カード１１を収納部１３ｂに収納した状態では遮蔽部としてのシート部材６１，６２でその略全体が覆われているため、スキミングができない。カード１１を使用する場合には、図１１に示したように、切欠部６１ａを通してカード１１に指先を当てて、カード１１の端が下側のシート部材６２の端に当たるまでカード１１を若干ずらせばよい。切欠部６１ａによってカード１１の非接触型ＩＣ媒体２３を読み取り可能な状態にすることができる。
【００５９】
このように、カードケース１３からのカード１１の若干の出し入れで非接触型ＩＣ媒体２３に対する非接触通信の可否を確実に切替えることができる。この結果、記憶した情報の正当な読み取りを可能にしつつも、スキミングの防止を図ることができる。
【００６０】
しかもそのための動作は、指先でカード１１をずらすだけでよく、簡単である。また、カード１１を正しく収納することで自動的にスキミング防止が図れるので、通常の使用状態においてカード１１を中途半端に引き出した不自然な状態にしておく必然性はなく、上記切り替えは正確に行え、誤操作を回避できる。
【実施例５】
【００６１】
図１２は、実施例４のようなカードケース１３に対して、実施例３の場合と同様に、実施例１で説明した非接触型ＩＣ媒体２３に対する非接触通信の可否を切替える構成を採用した例を示している。
【００６２】
すなわち、カードケース１３は、図１２（Ｂ）に示したように、カード１１に重なり合う重合部分の一部としての上側のシート部材６１が、複数の部材を積層して構成されている。この上側のシート部材６１の本体としての芯部材６３の一部に、読取許容穴６３ａが形成され、読取許容穴６３ａの上面側には、読取許容穴６３ａを塞ぐ大きさの移動遮蔽部材３４が移動可能に設けられる。移動遮蔽部材３４の周囲には移動遮蔽部材３４のスライドを可能にするためのスペーサ部材３３が設けられるとともに、スペーサ部材３３の上面側にはラミネート部材６４が積層される。
【００６３】
図中６４ａは、操作部３４ａをスライド可能にするためのスライド溝、６４ｂは読取許容穴５２ａと略同形の窓部である。
【００６４】
このように構成されたカードケース１３では、収納部１３ｂにカード１１を収納すればその状態のまま、上側のシート部材６１の上から操作部３４ａを動かして移動遮蔽部材３４をスライドさせるだけで、非接触型ＩＣ媒体２３に対する非接触通信の可否を切替えることができる。
【００６５】
既存のカード１１に対して簡易にスキミング防止を行えるので、便利である。
【実施例６】
【００６６】
図１３は、カード１１と該カード１１を収納するカードケース１３の双方に、協働するように設けられたスキミング防止構造を示す斜視図である。
【００６７】
すなわち、カード１１には遮蔽部と、該遮蔽部の一部を切り欠いて形成した読取許容穴が設けられ、カードケース１３には、カード１１に形成した読取許容穴を塞ぎ、カード１１の遮蔽部とは別の遮蔽部を備えており、カード１１とカードケース１３との相対移動で読取許容穴を開閉可能にする構成である。
【００６８】
具体的には、カード１１の非接触型ＩＣ媒体２３の上面側には、実施例１の第１固定遮蔽部材３２と同様に読取許容穴７１ａを有したカード側遮蔽部材７１が設けられる。しかし、実施例１の場合と異なって、移動遮蔽部材は形成されない。移動遮蔽部材が不要であるので、それに伴って各部材のスライド溝等の切欠部分は不要となるが、その他の基本的な構成は実施例１の構成と同様である。
【００６９】
カードケース１３は、非接触型ＩＣ媒体２３に記憶された情報を読み取り不可に磁界を遮断する性質を有しない適宜のシート材で形成されている。その形状は、２枚のシート部材７２，７３を重合し、その３辺を接合して、カード１１を出し入れする差込口１３ａを有したポケット状の収納部１３ｂが設けられたものである。２枚のシート部材７２，７３、すなわちカード１１に重なり合う重合部分で形成される収納部１３ｂはカード１１をすっぽりと被覆する大きさであるが、上側のシート部材７２は下側のシート部材７３よりもその差込口１３ａ側の端部が下に位置するように形成される。そして、この上側シート部材７２の差込口１３ａ側の端部における幅方向の中間部には、略半弧状等の適宜形状の切欠部７２ａが形成されている。
【００７０】
そして、カード１１を収納した時に上記読取許容穴７１ａに対応する上側のシート材７２の一部には、情報の読み取りを不可に磁界を遮断するケース側遮蔽部７２ｂが形成されている。このケース側遮蔽部７２ｂの大きさは、カード１１を収納した時に図１３に示したように、カード１１の読取許容穴７１ａを覆う大きさであるとともに、図１４に示したように、カード１１を収納部１３ｂから引き出すようにずらしてカード１１の端をカードケース１３におる下側のシート部材７３の端に合わせた時に読取許容穴７１ａがカードケース１３の遮蔽部７２ｂからずれて、読み取りを許容する大きさ開放するように設定されている。
【００７１】
このように構成されたカード１１とカードケース１３では、カード１１自体が情報の読み取りを許容する読取許容穴７１ａを有するものの、カード１１をカードケース１３の収納部１３ｂに収納した状態では上記読取許容穴７１ａがカードケース１３のケース側遮蔽部７２ｂで覆われため、スキミングはできない。カード１１を使用する場合には、図１４に示したように、切欠部７２ａを通してカード１１に指先等を当てて、カード１１の端が下側のシート部材７３の端に当たるまでカード１１を若干ずらせばよい。カード１１がずれることによってカード１１の読取許容穴７１ａがカードケース１３の遮蔽部７２ｂからずれて、読取許容穴７１ａが開放される。この結果、カード１１の非接触型ＩＣ媒体２３から情報を読み取ることが可能な状態にすることができる。
【００７２】
このように、カードケース１３からカード１１を若干出し入れするだけで非接触型ＩＣ媒体２３に対する非接触通信の可否を確実に切替えることができる。この結果、記憶した情報の正当な読み取りを可能にしつつも、スキミングの防止を図ることができる。
【００７３】
しかもそのための動作は、指先等でカード１１をずらすだけでよく、簡単である。また、カード１１を正しく収納すると自動的にスキミング防止が図れる構造であるので、通常の使用状態においてカード１１を中途半端に引き出した不自然な状態にしておく必然性はなく、上記切り替えは正確に行え、誤操作を回避できる。
【００７４】
また、カード１１とカードケース１３とに構成を分割したので、各部の構成を簡素にできる。このため、製造の簡単化やコストの低減等を図ることもできる。
【００７５】
なお、カード１１の下面側に設けられる全面を覆う遮蔽部を省略して、カードケース１３の下面側のシート部材７３に遮蔽部を設けるもよい。
【実施例７】
【００７６】
図１５は、情報記憶媒体して磁気ストライプ２５を搭載したカード１１の構造説明図である。
【００７７】
このカード１１は、一方側の面の一部に、帯状の磁気ストライプ２５が形成されている。
【００７８】
そして、スキミング防止構造として、カード１１の厚み方向の中間部に、カード大の遮蔽層８１が形成されている。遮蔽層８１は、箔状やシート状の金属材料を積層して形成される。他方側の表面に形成されるもよい。
【００７９】
遮蔽層８１が磁気ストライプ２５の他方側を覆うべくカード１１の厚み方向の中間部に設けられ、磁気ストライプ２５は一方側の面に露出している構造であるため、磁気ストライプ２５を有する一方側の面が、磁気ストライプ２５に記憶された情報の読み取りを可能にすべく磁界の通過を許容する読取許容面８２である。
【００８０】
このように構成されたカード１１では、カード１１における磁気ストライプ２５を有しない他方側の面からのスキミングが防止できる。その一方で、読取許容面８２を有するので、必要な情報の読み取り等は可能である。
【００８１】
また、磁気ストライプ２５はアルミニウム等の金属材料から構成されているので、図１５（Ｂ）に仮想線で示したように、外観上にも支障を来たすこともなく、エンボス加工は容易に行える。
【００８２】
この発明の構成と、上述の各実施例との対応において、  
この発明の情報記憶媒体は、実施例の非接触型ＩＣ媒体２３および磁気ストライプ２５に対応し、  
以下同様に、  
重合部分は、実施例３の重合部分５１、実施例４、５のシート部材６１，６２、実施例６のシート部材７２，７３に対応し、  
カード付属部材は、実施例３のカード保持具１２、実施例４、５、６のカードケース１３に対応し、  
遮蔽部は、実施例１、２の第１固定遮蔽部材３２と移動遮蔽部材３４と第２固定遮蔽部材３６、実施例３の芯部材５２と移動遮蔽部材３４、実施例４のシート部材６１，６２、実施例５の芯部材６３と移動遮蔽部材３４、実施例６のカード側遮蔽部材７１とケース側遮蔽部７２ｂ、実施例７の遮蔽層８１に対応し、  
読取許容部は、実施例１の読取許容穴３２ａ、実施例２の読取許容面３８、実施例３の読取許容穴５２ａ、実施例４の切欠部６１ａ、実施例５の読取許容穴６３ａ、実施例６の読取許容穴７１ａ、実施例７の読取許容部８２に対応し、  
固定遮蔽部は、実施例１の第１固定遮蔽部材３２、実施例３の芯部材５２、実施例５の芯部材６３、実施例６のカード側遮蔽部材７１またはケース側遮蔽部７２ｂに対応し、  
移動遮蔽部は、実施例１の移動遮蔽部材３４、実施例３の移動遮蔽部材３４、実施例５の移動遮蔽部材３４、実施例６のケース側遮蔽部７２ｂまたはカード側遮蔽部材７１に対応するも、  
この発明は、上述の各実施例の構成のみに限定されるものではなく他の様々な形態を採用することができる。
【図面の簡単な説明】
【００８３】
【図１】実施例１の斜視図。
【図２】カードの分解斜視図。
【図３】カードの断面図。
【図４】遮蔽部材の構造を示す断面図
【図５】遮蔽状態と読取許容状態の説明図。
【図６】実施例２の斜視図。
【図７】カードの断面図。
【図８】実施例３の斜視図。
【図９】カード保持具の断面図。
【図１０】実施例４の斜視図。
【図１１】カードケースの作用状態を示す斜視図。
【図１２】実施例５の斜視図。
【図１３】実施例６の斜視図。
【図１４】カードとカードケースの作用状態を示す斜視図。
【図１５】実施例７の斜視図。
【符号の説明】
【００８４】
１１…カード
１２…カード保護具
１３…カードケース
２３…非接触型ＩＣ媒体
２５…磁気ストライプ
３２…第１固定遮蔽部材
３２ａ…読取許容穴
３４…移動遮蔽部材
３６…第２固定遮蔽部材
３８…読取許容面
５１…重合部分
５２…芯部材
５２ａ…読取許容穴
６１，６２…シート部材
６１ａ…切欠部
６３…芯部材
６３ａ…読取許容穴
７１…カード側遮蔽部材
７１ａ…読取許容穴
７２，７３…シート部材
７２ｂ…ケース側遮蔽部
８１…遮蔽層
８２…読取許容面
【図１】
2007199888.tif 000003
【図２】
2007199888.tif 000004
【図３】
2007199888.tif 000005
【図４】
2007199888.tif 000006
【図５】
2007199888.tif 000007
【図６】
2007199888.tif 000008
【図７】
2007199888.tif 000009
【図８】
2007199888.tif 000010
【図９】
2007199888.tif 000011
【図１０】
2007199888.tif 000012
【図１１】
2007199888.tif 000013
【図１２】
2007199888.tif 000014
【図１３】
2007199888.tif 000015
【図１４】
2007199888.tif 000016
【図１５】
2007199888.tif 000017